(57)【要約】      （修正有）【課題】しっかりと結合できるようにしたソケットコネクター、プラグコネクター及びソケットプラグコネクターアセンブリーの構造を提供する。【解決手段】ソケットコネクターは絶縁本体と複数のソケット端子を含み、ソケット端子は弾性アームと接触部を具有し、弾性アームの末端に湾曲して延伸する抵触部を具有する。該プラグコネクターは絶縁主体と複数のプラグ端子を含み、プラグ端子は弾性抵触部と連接部を具有し、弾性抵触部は抵触圧部を含み、連接部の中央に連接段を具有する。抵触圧部は接触部に抵触し、抵触部は連接段に抵触する。ソケットコネクターとプラグコネクターのソケット端子とプラグ端子はツーポイントの弾性接触を形成し、よりしっかりと接合するため、有効的にプラグとソケットが外れるのを防止することができる。【選択図】図２
0003143289.tif 000002
【実用新案登録請求の範囲】
【請求項１】
絶縁本体、ソケット端子、基板部、弾性アーム、抵触部、接触部を含み、
絶縁本体の上に複数のソケット端子槽を設け、
複数のソケット端子はそれぞれソケット端子槽内に固持し、ソケット端子は基板部を具有し、基板部の上に弾性アームを延伸し、弾性アームの末端が湾曲して抵触部を設け、基板部の一端は延伸して接触部を形成することを特徴とするソケットコネクターの構造。
【請求項２】
前記絶縁本体は基部を具有し、該基部は舌体部を延伸し、
ソケット端子槽はそれぞれ舌体部の上表面に第一ソケット端子槽、舌体部の下表面の第二ソケット端子槽を設け、
ソケット端子はそれぞれ第一ソケット端子槽内に第一ソケット端子及び第二端子槽内に第二ソケット端子を差し込み、
第一ソケット端子の抵触部は第一ソケット端子槽の外に延伸し、第二ソケット端子の抵触部は第二ソケット端子槽の外に延伸することを特徴とする請求項1記載のソケットコネクターの構造。
【請求項３】
前記基部に二つの切り込みを設け、該基部の一端が延伸し、ストッパーを形成し、
該基部の上に金属ケースを固持し、金属ケースは二つの掛合片を延伸し、該二つの掛合片は切り込みと掛合し、
金属ケースの上に欠口を形成し、該欠口にストッパーを納め、金属ケースの該欠口に対応する縁は、ストッパーの上に抵触することを特徴とする請求項2記載のソケットコネクターの構造。
【請求項４】
前記金属ケースに固定保持片を具有し、該固定保持片の末端に固定保持部を具有し、
金属ケースは更に抵触頂片を具有し、該抵触頂片の末端に抵触頂部を具有することを特徴とする請求項3記載のソケットコネクターの構造。
【請求項５】
絶縁主体、プラグ端子、固持板、弾性抵触部、抵圧部、連接部を含み、
絶縁主体の上に複数のプラグ端子槽を設け、
複数のプラグ端子はそれぞれプラグ端子槽内に収納し、プラグ端子は固持板を具有し、固持板の上に弾性抵触部を延伸し、
弾性抵触部は抵圧部を含み、
固持板の一端より連接部を延伸し、連接部の中央に連接段を具有することを特徴とするプラグコネクターの構造。
【請求項６】
前記絶縁主体に嵌合部を具有し、嵌合部の上に舌体差込み槽を設け、該プラグ端子槽は該舌体差込み槽の上槽壁或いは下槽壁にまで延伸し、
前記抵圧部は舌体差込み槽内にまで延伸することを特徴とする請求項5記載のプラグコネクターの構造。
【請求項７】
前記絶縁主体は主体基部を具有し、主体基部の上に段差を設け、段差の中央部分に一つのブロックが突出し、
絶縁主体の上に金属ケースを固持し、金属ケースは嵌合筒を具有し、嵌合筒の筒壁にサイドが湾曲して固定片部を延伸し、該固定片部の上に穴を設け、
該固定片部は絶縁主体の段差の部分に収納し、穴はブロックと掛合することを特徴とする請求項5記載のプラグコネクターの構造。
【請求項８】
前述金属ケースの筒壁に二つの矩形穴を設けることを特徴とする請求項7記載のプラグコネクターの構造。
【請求項９】
前記弾性抵触部は弾性部を含み、固持板と重ねる弾性アーム部は該弾性部の末端より延伸し、弾性アーム部の末端は湾曲して抵圧部を形成し、
固持板が抵圧部と対応する末端の部分に回避槽を設けることを特徴とする請求項5記載のプラグコネクターの構造。
【請求項１０】
ソケットコネクター及びプラグコネクターを含み、
ソケットコネクターは絶縁本体及び複数のソケット端子を含み、絶縁本体に複数のソケット端子槽を設け、複数のソケット端子はそれぞれソケット端子槽内に固持し、
ソケット端子は基板部を具有し、基板部より弾性アームを延伸し、弾性アームの末端は湾曲して抵触部を延伸し、基板部の一端より接触部を延伸し、
プラグコネクターは絶縁主体及び複数のプラグ端子を含み、絶縁主体に複数のプラグ端子槽を設け、複数のプラグ端子はそれぞれプラグ端子槽内に収納し、プラグ端子は固持板を具有し、固持板より弾性抵触部を延伸し、弾性抵触部はソケット端子の接触部と抵触する抵圧部を含み、固持板の一端より連接部を延伸し、連接部の中央にソケット端子の抵触部と抵触する連接段を具有することを特徴とするソケットコネクター及びプラグコネクターアセンブリーの構造。
【考案の詳細な説明】
【技術分野】
【０００１】
本考案はコネクターの構造に関し、特にソケットコネクター、プラグコネクター及びソケットプラグアセンブリーの構造に関する。
【背景技術】
【０００２】
ソケットプラグコネクターアセンブリーは、ソケットコネクターとプラグコネクターを具有する。プラグコネクターは複数のプラグ端子を具有し、ソケットコネクターは複数のソケット端子を具有する。プラグコネクターとソケットコネクターを接合する際、プラグ端子はそれぞれソケット端子と抵触することで、プラグコネクターとソケットコネクター同士の信号を伝送する。
【０００３】
従来技術のプラグコネクターのプラグ端子とソケットコネクターのソケット端子は、片側よりワンポイントの接触しかできない。この類の接触構造のプラグ端子とソケット端子の構造はシンプルであり、衝撃や振動などの影響を受けると、プラグ端子とソケット端子同士の連結が外れやすくなるため、改善する必要があった。
【特許文献１】特開２００３−２４３０９７号公報
【考案の開示】
【考案が解決しようとする課題】
【０００４】
本考案の第一の目的は、従来技術の不足を鑑みて、対応するプラグコネクターのプラグ端子としっかり接合できるソケット端子を持つソケットコネクターの構造を提供することにある。
本考案の第二の目的は、対応するソケットコネクターのソケット端子としっかり接合できるプラグ端子を持つプラグコネクターの構造を提供することにある。
本考案の第三の目的は、ソケットコネクターのソケット端子と、プラグコネクターのプラグ端子の接合をしっかりとサポートするソケットプラグコネクターアセンブリーを提供することにある。
【課題を解決するための手段】
【０００５】
上述の第一の目的を解決するため、本考案が提供するソケットコネクターに含まれるのは、絶縁本体及び複数のソケット端子である。絶縁本体に複数のソケット端子槽を設け、複数のソケット端子はそれぞれソケット端子槽内に固持し、ソケット端子は基板部を具有し、該基板部の上に弾性アームを延伸し、弾性アームの末端が湾曲延伸して抵触部を形成し、基板部の一端が延伸して接触部を形成する。
【０００６】
上述の第二の目的を解決するため、本考案が提供するプラグコネクターに含まれるのは、絶縁主体及び複数のプラグ端子である。絶縁主体に複数のプラグ端子槽を設け、複数のプラグ端子はそれぞれプラグ端子槽に差し込む。プラグ端子は固持板を具有し、固持板の上に弾性抵触部を延伸し、弾性抵触部は抵圧部を含み、固持板の一端より連接部を延伸し、連接部の中央に連接段を具有する。
【０００７】
上述の第三の目的を解決するため、本考案が提供するソケットプラグコネクターアセンブリーに含まれるのは、ソケットコネクター及びプラグコネクターである。ソケットコネクターは絶縁本体及び複数のソケット端子を含み、絶縁本体の上に複数のソケット端子槽を設け、複数のソケット端子はそれぞれソケット端子槽内に固持する。ソケット端子は基板部を具有し、基板部の上に弾性アームを延伸し、弾性アームの末端が湾曲延伸して抵触部を形成し、基板部の一端が延伸して接触部を形成する。及び、
プラグコネクターは絶縁主体及び複数のプラグ端子を含み、絶縁主体に複数のプラグ端子槽を設け、複数のプラグ端子はそれぞれプラグ端子槽に差込み、プラグ端子は固持板を具有する。該固持板は弾性抵触部を延伸し、弾性抵触部はソケット端子の接触部と抵触する抵圧部を含み、固持板の一端より連接部を延伸し、連接部の中央にソケット端子の抵触部と抵触する連接段を具有する。
【考案の効果】
【０００８】
本考案のソケットコネクター、プラグコネクター及びソケットプラグコネクターアセンブリーでは、ソケット端子の抵触部と接触部及びプラグ端子の抵圧部と連接段の構造設計により、互いに対応するソケット端子とプラグ端子がツーポイントの弾性接触を形成するため、よりしっかり接合でき、衝撃或いは振動で抜けることを有効的に回避することができる。
【考案を実施するための最良の形態】
【０００９】
本考案の技術内容及び構造特徴、目的及び効果を明確に示すために図に沿って詳細な説明を行う。
図１に示すように、本考案のソケットプラグコネクターアセンブリーはソケットコネクター10とプラグコネクター20を具有する。
【００１０】
図２、３及び４が示すのは、ソケットコネクター10は絶縁本体110、複数の第一ソケット端子120、複数の第二ソケット端子130と金属ケース140を含む。
【００１１】
絶縁本体110はおよそ長方形の基部111を呈し、基部111の前方より長方形の舌状部分112を延伸し、基部111の後側の下に両側に延伸してストッパー113を形成する。基部111の上表面と後端面の連接箇所に二つの切り込み114を設ける。舌状部分112の上表面に複数の第一ソケット端子槽115と、舌状部分112の下表面に複数の第二ソケット端子槽116を設ける。
【００１２】
第一ソケット端子120は矩形板状の基板部121を具有し、基板部121は絶縁本体110の第一ソケット端子槽115の中に収納する。基板部121の上に長い収納孔122と収納孔122の方向にそって延伸する弾性アーム123を具有する。弾性アーム123の末端に“つ”の字に湾曲して延伸形成する抵触部124は第一ソケット端子槽よりはみ出ている。基板部121の片端の中央部より長方形の接触部125を延伸し、別端は湾曲して溶接部126を延伸する。
【００１３】
第二ソケット端子130と第一ソケット端子120の形状構造は基本的に同じである。該第二ソケット端子130は基板部131、収納孔132、弾性アーム133、抵触部134、接触部135と溶接部136を具有し、基板部131は第二ソケット端子槽116内に収納する。第二ソケット端子130と第一ソケット端子120の異なる部分は、抵触部134は弾性アーム133の末端から逆“つ”の形に湾曲して形成し、抵触部134は第二ソケット端子槽116よりはみ出ている。
【００１４】
金属ケース140は絶縁本体110の基部111に固持し、絶縁本体110の舌状部分112と共にスペース150を作る。金属ケース140はおよそ長方形の筒型を呈し、頂壁部141、両側壁部142及び底壁部143を具有する。金属ケース140の側壁部142から頂壁部141に延伸する二つの固定保持穴144とそれの中で延伸する固定保持片145を形成する。固定保持片145の末端に金属ケース140の内側に向かって“つ”の形の固定保持部1451を形成する。頂壁部141の後端より二つの掛合片146が湾曲して延伸し、該二つの掛合片146は切り込み114と掛合する。金属ケース140の後端下部に欠口147を形成し、該欠口147にストッパー113を納め、金属ケース140の該欠口147に対応する縁は、ストッパー113の上に抵触する。底壁部143に二つの抵触頂片孔148とそれぞれ抵触頂片孔148に沿って延伸する抵触頂片149を形成し、抵触頂片孔149の末端に金属ケース140の内側に向かって“つ”の字に形成する抵触頂部1491を具有する。
【００１５】
図５、６及び７が示すように、プラグコネクター20は絶縁主体210、複数のプラグ端子220、絶縁端体230及び金属ケース240を具有する。
【００１６】
絶縁主体210は長方形の主体基部211を具有し、主体基部211は上表面に段差2111を設け、該段差2111の中央に突出したブロック2112を具有する。主体基部211の前後に延伸し、該主体基部211を貫通する二つの穴2113を設ける。主体基部211の後端におよそ方形の嵌合部212を突出して設け、嵌合部212の両サイドと下側を囲む囲みブロック215を形成し、囲みブロック215と嵌合部212の間に保護槽216を形成する。嵌合部212の前端のより内部に舌状差込み217を設ける。絶縁主体210に複数のプラグ端子槽213を設け、プラグ端子槽213は舌状差込み217の上槽壁或いは下槽壁にまで延伸し、舌状差込み217と連通する。
【００１７】
プラグ端子220はおよそ細長い固持板221を具有し、固持板221は絶縁主体210のプラグ端子槽213内に収納する。固持板221の一部を矩形状に切断してできた弾性抵触部槽222と、該弾性抵触部槽222を折り曲げて弾性抵触部225を形成する。弾性抵触部225は弾性抵触部槽222の片端よりアーチ型に延伸する弾性部2251及び、弾性部2251の末端から延伸し、固持板221の上で重なる弾力アーム部2252を形成し、弾性アーム部2252の末端は固持板221と反対向きに湾曲してから固持板221に向かって湾曲延伸して抵圧部2253を形成する。抵圧部2253は舌状差込み217内に挿入する。固持板221の抵圧部2253末端に対応する部分に回避槽223を設け、該回避槽223は弾性抵触部225が弾性変形する際に、抵圧部2253の末端が固持板221に接触するのを防止する。固持板221の一端より矩形の溶接部226を延伸し、固持板221の別端は湾曲して連接部227を延伸する。連接部227に弾性アーム部2252の片側に隣接し、固持板221と平行する連接段2271を具有する。連接部227はプラグ端子槽213の中に収納する。
【００１８】
絶縁端体230はおよそ方形の形状であり、絶縁主体210の前表面に抵触する。絶縁端体230に長方形の該絶縁端体230を貫通する固定穴232と、上下二列にプラグ端子孔233を設ける。絶縁端体230の上下表面にそれぞれ上下のプラグ端子孔233と連通する溶接槽231を設け、溶接槽231は同時に絶縁端体230の前表面に貫通する。プラグ端子220の溶接部226はプラグ端子孔233の中に収納する。
【００１９】
金属ケース240は長方形筒状の嵌合筒241を具有し、該嵌合筒241の一端は保護槽216の中に収納する。嵌合筒241の上壁前側に一段高く曲折して延伸する固定片部242を具有し、該固定片部242の上に穴244を設ける。固定片部242は絶縁主体210の段差2111に置き、穴244はブロック2112と掛合する。金属ケース240の上壁に二つの矩形穴245を設ける。金属ケース240の両側サイドよりそれぞれ長い固持棒246を延伸し、固持棒246の末端は、絶縁主体210の固定穴2113と絶縁端体230の固持穴232を通す。
【００２０】
本考案のプラグコネクター20とソケットコネクター10を接合する際、舌状部分112を舌状差込み217に挿入し、嵌合部212と嵌合筒241の一部をスペース150内に挿入する。プラグ端子220の抵圧部2253が弾性的に第一ソケット端子120の接触部125或いは第二ソケット端子130の接触部135に抵触する。第一ソケット端子120の抵触部124と第二ソケット端子130の抵触部134は弾性的にプラグ端子220の連接段2271に抵触する。固定保持部1451が矩形穴245と掛合し、金属ケース140の抵触頂部1491は弾性的に金属ケース240の嵌合筒241の上に抵触する。
【００２１】
本考案はプラグ端子220の抵圧部2253が弾性的に第一ソケット端子120の接触部125、或いは第二ソケット端子130の接触部に抵触し、第一ソケット端子120の抵触部124と第二ソケット端子130の抵触部134が弾性的にプラグ端子220の連接段2271に抵触することで、第一ソケット端子120と第二ソケット端子130がいずれもプラグ端子220とツーポイントの弾性接触するため、衝撃或いは振動などがあっても、ソケットとプラグが外れることがなくなる。
【図面の簡単な説明】
【００２２】
【図１】本考案のソケットプラグコネクターアセンブリーの立体図である。
【図２】図１の示すソケットプラグコネクターアセンブリーのソケットコネクターの立体分解図である。
【図３】図２の示すソケットコネクターの金属ケースの立体図である。
【図４】図２の示すソケットコネクターの立体断面図である。
【図５】図１の示すソケットプラグコネクターアセンブリーのプラグコネクターの立体分解図である。
【図６】図５の示すプラグコネクターの絶縁主体の立体図である。
【図７】図５の示すプラグコネクターの立体断面図である。
【符号の説明】
【００２３】
10 ソケットコネクター
110 絶縁本体
111 基部
112 舌状部分
113 ストッパー
114 切り込み
115 第一ソケット端子槽
116 第二ソケット端子槽
120 第一ソケット端子
121 基板部
122 収納孔
123 弾性アーム
124 抵触部
125 接触部
126 溶接部
130 第二ソケット端子
131 基板部
132 収納孔
133 弾性アーム
134 抵触部
135 接触部
136 溶接部
140 金属ケース
141 頂壁部
142 側壁部
143 底壁部
144 固定保持穴
145 固定保持片
1451 固定保持部
146 掛合片
147 欠口
148 抵触頂片孔
149 抵触頂片
1491 抵触頂部
150 スペース
20 プラグコネクター
210 絶縁主体
211 主体基部
2111 段差
2112 ブロック
2113 穴
212 嵌合部
213 プラグ端子槽
215  囲みブロック  
216 保護槽
217 舌状差込み
220 プラグ端子
221 固持板
222 弾性抵触部槽
223 回避槽
225  弾性抵触部
2251 弾性部
2252 弾性アーム部
2253 抵圧部
226 溶接部
227 連接部
2271 連接段
230 絶縁端体
231 溶接槽
232 固定穴
233 プラグ端子孔
240 金属ケース
241 嵌合筒
242 固定片部  
244  穴
245  矩形穴
246  固持棒
【図１】
0003143289.tif 000003
【図２】
0003143289.tif 000004
【図３】
0003143289.tif 000005
【図４】
0003143289.tif 000006
【図５】
0003143289.tif 000007
【図６】
0003143289.tif 000008
【図７】
0003143289.tif 000009